(57)【要約】【課題】レンズの偏心調整を容易にすること。【解決手段】固定レンズ３０を保持した固定レンズ枠３を、レンズ鏡胴１０（前枠）の内周に螺着された押え環４によって、光軸０方向にてレンズ鏡胴１０の当接面１０Ａに押し付けて固定したレンズ装置であって、固定レンズ枠３の外周側面に、固定レンズ枠３を回動させるための歯車３Ａを形成し、レンズ鏡胴１０に、固定レンズ枠３の歯車３Ａを露出させる調整用孔１０Ｄを形成したことで、押え環４による固定レンズ枠３の押し付けを緩めた状態で、調整用孔１０Ｄを介して歯車３Ａにより固定レンズ枠３を回動可能にした。【選択図】図３
2011033885.tif 000002
【特許請求の範囲】
【請求項１】
レンズを保持したレンズ保持枠を、レンズ鏡胴の内周に螺着された押え環によって、前記レンズの光軸方向にて前記レンズ鏡胴の当接部に押し付けて固定したレンズ装置であって、
前記レンズ保持枠の外周側面に、前記レンズ保持枠を回動させるための歯車が形成されているとともに、前記レンズ鏡胴のうち前記レンズ保持枠の外周を囲む部分に、前記レンズ保持枠の前記歯車を露出させる開口部が形成され、前記押え環による前記レンズ保持枠の押し付けを緩めた状態で、前記開口部を介して前記歯車により前記レンズ保持枠を回動可能であることを特徴とするレンズ装置。
【請求項２】
前記押え環と前記レンズ保持枠との間に配置され、前記レンズ保持枠を前記レンズの光軸方向にて前記レンズ鏡胴の当接部に付勢する環状の付勢部材を備え、
前記付勢部材の外周に突起が形成され、前記レンズ鏡胴の内周に前記付勢部材の前記突起に対応する凹部が形成され、前記付勢部材の前記突起と前記レンズ鏡胴の前記凹部とが嵌合することで前記付勢部材の回動を規制することを特徴とする請求項１に記載のレンズ装置。
【請求項３】
前記歯車は、前記レンズの光軸方向において前記レンズの重心位置の近傍に配置されていることを特徴とする請求項１または２に記載のレンズ装置。
【請求項４】
前記歯車は、前記レンズの光軸方向において前記レンズ鏡胴の前記当接部の近傍に配置されていることを特徴とする請求項１ないし３のうちいずれか１項に記載のレンズ装置。
【請求項５】
前記レンズ鏡胴の前記開口部は、前記レンズ鏡胴に取付けられたレンズフードによって覆われていることを特徴とする請求項１ないし４のうちいずれか１項に記載のレンズ装置。
【請求項６】
前記レンズ鏡胴の前記開口部は、前記レンズ鏡胴の前記開口部に嵌め込まれたカバーによって塞がれていることを特徴とする請求項１ないし５のうちいずれか１項に記載のレンズ装置。
【請求項７】
前記レンズ鏡胴を構成する部材のうち最も前記レンズの光軸側に配置された部材と前記レンズ保持枠とが嵌合していることを特徴とする請求項１ないし６のうちいずれか１項に記載のレンズ装置。
【発明の詳細な説明】
【技術分野】
【０００１】
本発明は、レンズ装置に係り、特にレンズの偏心調整を容易に行うことができる偏芯調整構造に関する。
【背景技術】
【０００２】
従来、テレビの取材等で使用される持ち運び可能なＥＮＧ(Electronic News Gathering)カメラに用いられるレンズ装置が知られている（特許文献１）。
【０００３】
また、最も被写体側に位置する前玉レンズのレンズ枠がレンズ鏡胴に回動可能に嵌合され、レンズ枠をレンズ鏡胴に対して回動させることで偏心調整し、レンズ枠が偏心調整された状態でレンズ枠よりも被写体側から挿入される押え環をレンズ鏡胴本体に螺着することでレンズ枠をレンズ鏡胴に押し付けて固定する構造が知られている（特許文献２）。
【先行技術文献】
【特許文献】
【０００４】
【特許文献１】特開２００３−２９１２３号公報
【特許文献２】特開２００７-２１９０２３号公報
【発明の概要】
【発明が解決しようとする課題】
【０００５】
しかしながら、押え環を緩めてレンズ枠を回すことでレンズの偏心調整を行う際に、レンズの前方からレンズ枠を回す必要があるため、測定機（ＭＴＦ測定機やコリメータ）上で測定値や像を見ながらレンズ枠を回す行うことが困難であるという課題がある。
【０００６】
本発明はこのような事情に鑑みてなされたもので、レンズの偏心調整を容易に行うことができるレンズ装置を提供することを目的とする。
【課題を解決するための手段】
【０００７】
前記目的を達成するために、本発明は、レンズを保持したレンズ保持枠を、レンズ鏡胴の内周に螺着された押え環によって、前記レンズの光軸方向にて前記レンズ鏡胴の当接部に押し付けて固定したレンズ装置であって、前記レンズ保持枠の外周側面に、前記レンズ保持枠を回動させるための歯車が形成されているとともに、前記レンズ鏡胴のうち前記レンズ保持枠の外周を囲む部分に、前記レンズ保持枠の前記歯車を露出させる開口部が形成され、前記押え環による前記レンズ保持枠の押し付けを緩めた状態で前記開口部を介して前記歯車により前記レンズ保持枠を回動可能であることを特徴とするレンズ装置を提供する。
【０００８】
本発明によれば、レンズ保持枠の外周側面に、レンズ保持枠を回動させるための歯車が形成されているとともに、レンズ鏡胴のうちレンズ保持枠の外周を囲む部分に、レンズ保持枠の歯車を露出させる開口部が形成されているので、押え環によるレンズ保持枠の押し付けを緩めた状態で、レンズ鏡胴後方の測定機の測定値又は像を見ながら、レンズ鏡胴側方から開口部を介して歯車によりレンズ保持枠を回動させることで、レンズの偏心調整を容易に行うことができる。即ち、レンズ鏡胴後方からの測定値又は像の視認と、レンズ鏡胴側方からのレンズ保持枠及びレンズの回動とを、同時に行うことができる。
【０００９】
また、本発明の一態様では、前記押え環と前記レンズ保持枠との間に配置され、前記レンズ保持枠を前記レンズの光軸方向にて前記レンズ鏡胴の前記当接部に付勢する環状の付勢部材を備え、前記付勢部材の外周に突起が形成され、前記レンズ鏡胴の内周に前記付勢部材の前記突起に対応する凹部が形成され、前記付勢部材の前記突起と前記レンズ鏡胴の前記凹部とが嵌合することで前記付勢部材の回動を規制することを特徴とする。これにより、付勢部材の付勢によりレンズ保持枠の倒れを防ぐとともに、レンズの偏心調整を完了して押え環を締め付ける際に、押え環と一緒にレンズ保持枠が回動しないようにすることができ、レンズ位置が偏心調整完了時のベスト位置から変化することを防ぐことができる。
【００１０】
また、本発明の一態様では、前記歯車は、前記レンズの光軸方向において前記レンズの重心位置の近傍に配置されていることを特徴とする。また、本発明の一態様では、前記歯車は、前記レンズの光軸方向において前記レンズ鏡胴の前記当接部の近傍に配置されていることを特徴とする。これにより、レンズ保持枠を回し易くなり偏心調整の作業性が向上するとともに、レンズ保持枠の倒れに因る光学性能の低下を抑えることができる。
【００１１】
また、本発明の一態様では、前記レンズ鏡胴の前記開口部は、前記レンズ鏡胴に取付けられたレンズフードによって覆われていることを特徴とする。これにより、開口部を外観上目立たないようにすることができる。
【００１２】
また、本発明の一態様では、前記レンズ鏡胴の前記開口部は、前記レンズ鏡胴の前記開口部に嵌め込まれたカバーによって塞がれていることを特徴とする。これにより、開口部を外観上目立たないようにすることができる。また、開口部からレンズ鏡胴内へ塵埃が入ることを防止することができる。
【００１３】
また、本発明の一態様では、前記レンズ鏡胴を構成する部材のうち最も前記レンズの光軸側に配置された部材と前記レンズ保持枠とが嵌合していることを特徴とする。これにより、部品の積み重ねによるレンズ位置ずれを防止することができる。
【発明の効果】
【００１４】
本発明によれば、レンズの偏心調整を容易に行うことができる。
【図面の簡単な説明】
【００１５】
【図１】本発明に係るレンズ装置を側面から見た断面図
【図２】図１に示したレンズ装置の前方部の外観を示す斜視図
【図３】図２のＦ３−Ｆ３線に沿った断面図
【図４】レンズフードが未装着のレンズ装置の前方外観を示す斜視図
【図５】レンズフード及び調整用孔カバーが未装着のレンズ装置の前方外観を示す斜視図
【図６】図５のＦ６−Ｆ６線に沿った断面図
【図７】押え環及び波板ばね及び固定レンズ枠を示す分解斜視図
【図８】調整用孔からレンズ保持枠の歯車を見た様子を示す説明図
【発明を実施するための形態】
【００１６】
以下、添付図面に従って本発明に係るレンズ装置の実施の形態について説明する。
【００１７】
［レンズ装置の全体構成］
図１は、本発明が適用された例えば民生用のビデオカメラ、テレビ放送用のＥＮＧカメラ、監視用カメラ等に適用されるリアフォーカス式で可変焦点距離のレンズ装置を側面から見た断面図であり、光軸Ｏから上半分に関して示している。
【００１８】
図１において、主として前枠１０、前固定環１２、第１本体環１４、第２本体環１６、後固定環１８、マウント取付枠２０及びマウント環２２が一体的に連結され、略円筒状のレンズ鏡胴を構成している。レンズ鏡胴本体は、マウント環２２によりレンズ交換式のカメラ本体に装着される。
【００１９】
第１本体環１４は、レンズ鏡胴本体の最内周の構成部材であり、この第１本体環１４の外周前方側に前固定環１２がねじにより固定され、前固定環１２の前方に前枠１０がねじにより固定されている。また、第１本体環１４の外周後方側に第２本体環１６がねじにより固定され、第２本体環１６の後方に後固定環１８が、後固定環１８の後方にマウント取付枠２０が、マウント取付枠２０の後方にマウント環２２がそれぞれねじにより固定されている。
【００２０】
前枠１０の内周には、最前（最も被写体側）の固定レンズ３０を保持した固定レンズ枠３が取り付けられている。前枠１０の内周には、押え環４が回動可能に螺着されている。押え環４は、環状の波板ばね５を介して、固定レンズ枠３を光軸０方向にて前枠１０に押し付けることで、固定レンズ枠３を前枠１０に固定している。また、固定レンズ枠３の外周側面に、固定レンズ枠３を回動させるための歯車３Ａが形成されている。また、前枠１０に調整用孔１０Ｄが形成され、その調整用孔１０Ｄに調整用孔カバー６が嵌め込まれている。また、前枠１０には、レンズフード２４が着脱自在に装着されている。このような固定レンズ３０周辺の構造については、後に詳説する。
【００２１】
このレンズ装置１における光学系は、物体側から順に、固定レンズ（第１群レンズ）３０、ズーム（変倍）レンズ（第２群レンズ）３２、前マスターレンズ（第３群レンズ）３４、フォーカスレンズ（第４群レンズ）３６、及び後マスターレンズ（第５群レンズ）３８の５群から構成されている。また、前マスターレンズ３４の直前には、虹彩絞り４０が設けられている。
【００２２】
ズームレンズ３２が取り付けられたレンズ枠４２は、押え環４４により移動枠４６に固定されている。第１本体環１４の内周部にはカム筒４８が回動可能に保持されており、移動枠４６は、カムピン４６Ａを介してカム筒４８の内周部に保持されている。即ち、第１本体環１４の内周面には光軸Ｏ方向の直進溝１４Ａが形成されるとともに、カム筒４８にはカム溝（カム形状の孔）４８Ａが形成されており、移動枠４６に固定されたカムピン４６Ａが、カム筒４８のカム溝４８Ａを挿通して第１本体環１４の直進溝１４Ａに係合されている。これによって移動枠４６は、回転が規制された状態で光軸Ｏ方向に直進可能に保持されるとともに、カムピン４６Ａがカム溝４８Ａに係合する位置に保持される。従って、カム筒４８が回動すると、カム筒４８のカム溝４８Ａと第１本体環１４の直進溝１４Ａとの交差位置がカム形状に応じた位置に変化し、その交差位置へのカムピン４６Ａの移動によって移動枠４６が光軸Ｏ方向に進退移動する。
【００２３】
一方、第２本体環１６の外周部には、ズームリング５０が回動可能に配置されており、そのズームリング５０の内周面の径方向内向きに棒状の連結軸５２が取り付けられている。この連結軸５２は、第１本体環１４に形成された周方向の長孔（図示せず）を挿通してカム筒４８に連結されている。これにより、ズームリング５０を回動操作すると、それに連動してカム筒４８が回動する。カム筒４８が回動すると、上述のように移動枠４６が進退移動し、移動枠４６と連動してズームレンズ３２が光軸Ｏ方向に移動する。従って、ズームリング５０の回動操作によりズーム倍率が変更されるようになっている。
【００２４】
虹彩絞り４０は、主としてプラスチック製の地板（絞り枠）５４と、菊座（カム板）５６と、絞り枠５４とカム板５６との間に配置された複数枚の絞り羽根５８とによって構成されている。後固定環１８とマウント取付枠２０との間には、アイリスリング６０が回動可能に配設され、このアイリスリング６０には、カム板５６から延出する連結軸５６Ａが連結されている。これにより、アイリスリング６０の回動によりカム板５６が回動し、絞り羽根５８が開閉動作するようになっている。
【００２５】
フォーカスレンズ３６は、光学系の焦点位置を変更するもので、前マスターレンズ３４等を保持する保持枠６２と、この保持枠６２の後端に配設される後マスターレンズ３８のレンズ枠６４との間に保持されているガイド軸及び回り止め（図示せず）により、光軸Ｏ方向に移動可能に支持されている。また、保持枠６２には、ガイド軸を挟んで一対のボイスコイルモータ（ＶＣＭ）６６が配設されており、フォーカスレンズ３６は、このＶＣＭ６６の動力によって電動で駆動されるようになっている。
【００２６】
前固定環１２の外周部には、第１フォーカスリング７０、及び第２フォーカスリング７２がそれぞれ回動可能に配置されている。第１フォーカスリング７０は、回動範囲が規制されておらず、エンドレスに回転させることができるとともに、光軸方向にスライド可能に配設されている。また、第２フォーカスリング７２は、ストッパー軸７４により約１２０度の範囲内で回動できるように規制されている。
【００２７】
第１フォーカスリング７０と第２フォーカスリング７２とが対向する端面には、それぞれ鋸歯状のクラッチ部７０Ａ、７２Ａが形成されており、図１に示す状態では、クラッチ部７０Ａ，７２Ａが連結（噛合）し、第１フォーカスリング７０と第２フォーカスリング７２とが一体的に回動する。従って、この状態で、第１フォーカスリング７０を手動で回動させる場合には、約１２０度の範囲内でのみ回動させることができる。
【００２８】
一方、第１フォーカスリング７０を、クリック用弾性部材７６を乗り越えるように前方にスライドさせると、前記クラッチ部７０Ａ、７２Ａの連結が外れる。これにより第１フォーカスリング７０は、エンドレスで回転できるようになる。
【００２９】
上記構成のレンズ装置１の側面には、ねじ孔８０、８２を介してグリップ部を兼ねた駆動部（図示せず）が取り付けられる。
【００３０】
駆動部は、ズームリング５０、アイリスリング６０を駆動するための駆動手段を有するとともに、内部に制御基板が配設され、シーソー式のズームスイッチにより電動でズームレンズ３２等を駆動制御するとともに、フォーカスレンズ３６や虹彩絞り４０を制御する。
【００３１】
＜各種の検出手段＞
第１本体環１４の外周面には、光軸方向に沿ってリニアポテンショメータが配設されており、このリニアポテンショメータ（ズームリニアＰＯＴ）は、カム筒４８の回転によりズームレンズ３２が光軸方向に移動すると、その移動位置に対応した位置信号（絶対位置を示す信号）をリード線を介して駆動部に出力する。
【００３２】
カム筒４８の後端面には、Ｎ極、Ｓ極が着磁された磁気リング８４が接着されており、第１本体環１４には、前記磁気リング８４に対向して磁気センサ（ＭＲセンサ）が配設されている。カム筒４８とともに磁気リング８４が回転すると、ＭＲセンサはその回転量に対応するパルス数のパルス信号（相対位置を示す信号）をリード線を介して駆動部に出力する。
【００３３】
尚、ズームリニアＰＯＴの出力は、電源投入時に使用され、その後は、ズーム位置検出用のＭＲセンサの出力が使用される。
【００３４】
フォーカスレンズ３６のガイド軸に対向する保持枠６２には、フォーカスレンズ位置検出用のＭＲセンサが配設されており、このＭＲセンサは、フォーカスレンズ３６の移動量に対応するパルス数のパルス信号（相対位置を示す信号）をリード線を介して駆動部に出力する。また、フォーカスレンズ３６の基準位置を検出するためのホームポジションセンサ（フォトインタラプタ）が保持枠６２内に配設されており、駆動部は、ホームポジションセンサによって検出されたフォーカスレンズ３６の基準位置を基準にしてＭＲセンサの出力信号をカウントすることによりフォーカスレンズ３６の絶対位置を検知している。
【００３５】
第１フォーカスリング７０及び第２フォーカスリング７２の周囲には、それぞれ歯車７０Ｂ，７２Ｂが形成されており、これらの歯車７０Ｂ，７２Ｂは、それぞれ駆動部側に設けられた相対位置検出型センサ（インクリメンタルエンコーダ）、及び絶対位置検出型センサ（アブソリュートエンコーダ）の検出軸の歯車に連結している。
【００３６】
これにより、駆動部は、第１フォーカスリング７０の相対的な回転量を検知することができるとともに、第２フォーカスリング７２の絶対的な回転位置を検知することができる。
【００３７】
また、前固定環１２の先端部には、フォトインタラプタ８６が配設されており、一方、第１フォーカスリング７０の先端には、遮光板７０Ｃが設けられている。このフォトインタラプタ８６は、遮光板７０Ｃの有無を示す検出信号を駆動部に出力する。これにより駆動部は、フォトインタラプタ８６からの検出信号により第１フォーカスリング７０が第２フォーカスリング７２に連結しているか否かを検知することができる。
【００３８】
［レンズ制御］
マウント取付枠２０の側面には、スライド式のマクロＯＮ／ＯＦＦスイッチと、ＡＦ／ＭＦ切替えスイッチと、ノンロック式のＡＦプッシュスイッチとが配設されており、これらのスイッチの操作に伴う出力信号は、リード線を介して駆動部に加えられるようになっている。
【００３９】
ここで、マクロＯＮ／ＯＦＦスイッチは、マクロ撮影モードをＯＮ／ＯＦＦさせるスイッチである。ＡＦ／ＭＦ切替えスイッチは、被写体像のコントラストが最大になるように自動的にフォーカスレンズ３６を移動させて焦点調節を行うオートフォーカス（ＡＦ）モードと、第１フォーカスリングを手動で回動操作することによりフォーカスレンズ３６を移動させて焦点調節を行うマニュアルフォーカス（ＭＦ）モードとを切り替えるスイッチである。ＡＦプッシュスイッチは、ＡＦ／ＭＦ切替えスイッチによりＭＦモードに切り替えられている場合に、キートップが押下（プッシュ）されている期間だけＡＦモードに切り替えるスイッチである。
【００４０】
＜フォーカス制御＞
ＡＦ／ＭＦ切替えスイッチによりＡＦモードに切り替えられている場合には、駆動部は、第１フォーカスリング７０、第２フォーカスリング７２の操作にかかわらず、自動的にフォーカスレンズ３６を合焦位置に移動させるＡＦ制御を行う。
【００４１】
一方、ＡＦ／ＭＦ切替えスイッチによりＭＦモードに切り替えられている場合には、第１フォーカスリング７０のスライド位置に応じて、フルＭＦモード（端付き）とＡＦ／ＭＦモード（エンドレス）とが切り替えられるようになっている。
【００４２】
即ち、駆動部は、前述したフォトインタラプタ８６からの検出信号により第１フォーカスリング７０のスライド位置（第１フォーカスリング７０が第２フォーカスリング７２に連結しているか否か）を検知することができ、第１フォーカスリング７０が第２フォーカスリング７２に連結している場合にはフルＭＦモードに切り替え、第１フォーカスリング７０が第２フォーカスリング７２に連結していない場合にはＡＦ／ＭＦモードに切り替える。
【００４３】
駆動部は、第１フォーカスリング７０が第２フォーカスリング７２に連結しているフルＭＦモード時には、第２フォーカスリング７２の歯車７２Ｂに連結している絶対位置検出型センサからの絶対位置信号（至近から無限遠の範囲内の撮影距離を指令する信号）と、電源投入時のズームリニアＰＯＴの出力及びその後のズーム位置検出用のＭＲセンサの出力から得られるズーム位置の絶対位置を示す信号（ズーム倍率を示す信号）とに基づいてフォーカスレンズ３６を駆動制御する。即ち、撮影距離に対応するフォーカスレンズ３６の移動すべき位置は、ズームレンズ３２の現在のズーム位置（ズーム倍率）に応じて予め設定されており、駆動部は、第１フォーカスリング７０の手動操作に連動して第２フォーカスリング７２が回動すると、その回動位置を示す信号（撮影距離を指令する信号）と現在のズーム倍率とに基づいてフォーカスレンズ３６を対応する位置に移動させる。
【００４４】
このようにフルＭＦモードに切り替えられると、第１フォーカスリング７０を手動で操作することにより、フォーカスレンズ３６を所望の撮影距離に対応する位置に移動させることができる。尚、第１フォーカスリング７０は、ストッパー軸７４によって回動範囲が規制されている端付きの第２フォーカスリング７２に連結しているため、その回動範囲が第２フォーカスリング７２と同様に規制され、至近端から無限遠端に対応する回動範囲内で回動できるようになっている。
【００４５】
上記フルＭＦモードは、第１フォーカスリング７０が第２フォーカスリング７２を介して回動範囲が制限されており、操作者は、第１フォーカスリング７０が端に到達したときの操作感によってフォーカスレンズ３６が至近端又は無限遠端に到達したことを認識することができる。このような第１フォーカスリング７０のみによるフォーカス操作は、本職のカメラマン等が使い慣れた方式である。
【００４６】
一方、第１フォーカスリング７０が第２フォーカスリング７２に連結していないＡＦ／ＭＦモード時には、第１フォーカスリング７０を回動させることによりフォーカスレンズ３６を移動させるＭＦモードと、前述したＡＦプッシュスイッチの押下によるＡＦモードとを適宜使い分けてフォーカス制御を行うことができる。
【００４７】
即ち、駆動部は、ＡＦ／ＭＦモード時に第１フォーカスリング７０が操作され、第１フォーカスリング７０の歯車７０Ｂに連結している相対位置検出型センサからの相対位置信号を入力すると、その相対位置信号に基づいてフォーカスレンズ３６を駆動制御し、第１フォーカスリング７０の回動量に対応した移動量だけフォーカスレンズ３６を移動させる。
【００４８】
尚、ＡＦ／ＭＦモード時には第１フォーカスリング７０は、第２フォーカスリング７２に連結していないため、その回動範囲が規制されずエンドレスで回転できるが、駆動部は、フォーカスレンズ３６が無限遠端又は至近端の位置まで移動すると、その端を超える移動指令は出力しないようにしている。
【００４９】
また、ＡＦ／ＭＦモード時にＡＦプッシュスイッチの押下によりＡＦモードに一時的に切り替え、その後、ＡＦプッシュスイッチから手を離してＭＦモードに切り替えると、ＡＦモードによって自動的に合焦したフォーカスレンズ３６の位置を引き継いで、第１フォーカスリング７０を操作した分だけフォーカスレンズ３６を変位させることができ、使い勝手がよくなる。
【００５０】
＜ズーム制御＞
駆動部に設けられているシーソー式のズームスイッチを操作すると、駆動部内の電動モータからズームリング５０の周囲に形成されている歯車５０Ａに回転駆動力が伝達され、これによりズームリング５０を回動させることができるようになっている。また、ズームリング５０（ズームリング５０に植設された図示しないズームレバー）を手動で操作することにより、ズームリング５０を回動させることができるようになっている。
【００５１】
ズームリング５０が回動すると、連結軸５２を介して連結されているカム筒４８が回動し、カム筒４８が回動すると、第１本体環１４に形成されている直進溝１４Ａ及びカム筒４８のカム溝４８Ａに係合しているカムピン４６Ａを介して移動枠４６が光軸Ｏ方向に進退移動する。このようにズームリング５０を回動させると、ズームレンズ３２を光軸Ｏ方向に移動させることができ、ズーム倍率を変更させることができる。
【００５２】
上記のようにしてズームレンズ３２の移動によりズーム倍率が変化すると、焦点面が移動するが、駆動部は、ズーム倍率の変化に伴う焦点面の移動を補正する補正光学系としてフォーカスレンズ３６を兼用し、ズーム倍率にかかわらず焦点面が移動しないようにフォーカスレンズ３６の位置を制御している。
【００５３】
即ち、駆動部は、ズーム操作前の現在のズームレンズ３２のズーム位置を、電源投入時のズームリニアＰＯＴの出力及びその後のズーム位置検出用のＭＲセンサの出力から取得するとともに、現在のフォーカスレンズ３６の位置をフォーカスレンズ位置検出用のＭＲセンサから取得し、予め撮影距離毎に準備されている焦点面を移動させないズーム位置とフォーカスレンズ位置との関係を示す補正曲線から、前記取得したズーム位置及びフォーカスレンズ位置に基づいて対応する補正曲線を選択し、その後、ズームレンズ３２の移動量が、ズームレンズ位置検出用のＭＲセンサの出力信号に基づいて検出されると、この検出されたズーム位置に対応するフォーカスレンズ位置（焦点面を移動させないフォーカスレンズ位置）を前記選択した補正曲線から読み出し、読み出したフォーカスレンズ位置にフォーカスレンズ３６を移動させる。
【００５４】
これにより、フォーカス制御により焦点面が、レンズ装置１が装着されたカメラ本体の撮像素子上に位置するようにピント調整した後、ズーム倍率を変更しても焦点面が移動しないようにする（ピントがずれないようにする）ことができる。
【００５５】
これにより、ズーム倍率を変更しても焦点面が移動しないようにすることができる。従って、一旦、フォーカス制御により焦点面がレンズ装置１が装着されたカメラ本体の撮像素子上に位置するようにピント調整すると、その後、ズーム操作してもピントがずれないようにすることができる。
【００５６】
［実施の形態］
以下では、最も被写体側に位置した固定レンズ３０の偏心調整構造について、詳細に説明する。
【００５７】
図２は、図１に示したレンズ装置１の前方外観を示す斜視図である。図３は、図２のＦ３−Ｆ３線に沿った断面図である。図４は、レンズフード２４未装着時のレンズ装置１の前方外観を示す斜視図である。
【００５８】
図３に示すように、固定レンズ３０を保持した固定レンズ枠３は、固定レンズ３０の光軸０方向にて前枠１０の当接面１０Ａ（当接部）に当接している。また、前枠１０の前端内周側面には雌ねじ１０Ｂが形成されており、この雌ねじ１０Ｂに押え環４の雄ねじ４Ａが螺着されている。即ち、前枠１０の内周に螺着された押え環４によって、固定レンズ枠３を光軸０方向にて前枠１０の当接面１０Ａに押し付けて固定している。また、レンズ鏡胴を構成する部材の積み重ねに因る位置ずれ（光軸ずれ）を防ぐため、固定レンズ枠３は、レンズ鏡胴を構成する部材のうち最も光軸０側に配置された部材（即ちレンズ鏡胴のうち最も内側の第１本体環１４）と嵌合している。
【００５９】
押え環４と固定レンズ枠３との間に、環状の付勢部材として波板ばね５が介装されている。波板ばね５は、固定レンズ枠３を光軸０方向にて前枠１０の当接面１０Ａに付勢する。
【００６０】
押え環４を緩めた状態（即ち前枠１０の当接面１０Ａに対する固定レンズ枠３の押し付けを緩めた状態）で、前枠１０の側方からの操作により固定レンズ枠３を光軸０中心で回動可能にするため、固定レンズ枠３の外周側面に、歯車３Ａが形成されている。また、固定レンズ枠３の外周を囲む前枠１０に、固定レンズ枠３の歯車３Ａを露出させる開口部１０Ｄ（以下「調整用孔」という）が形成されている。尚、図３では、調整用孔１０Ｄに着脱自在の調整用孔カバー６が嵌め込まれており、調整用孔１０Ｄが塞がれている。また、調整用孔１０Ｄは、前枠１０に取付けられたレンズフード２４によって覆われている。
【００６１】
固定レンズ枠３及び前枠１０及び調整用孔カバー６及びレンズフード２４の材料は特に限定されないが、本例にて固定レンズ枠３及び前枠１０は金属で構成されており、調整用孔カバー６及びレンズフード２４は合成樹脂で構成されている。
【００６２】
歯車３Ａは、光軸０方向において、固定レンズ３０の重心位置の近傍に、配置されている。固定レンズ３０の重心位置から、固定レンズ３０の重量に換算して１／４の位置までに、歯車３Ａを配置することが好ましい。本例では、光軸０方向において、固定レンズ３０の重心位置に前枠１０の当接面１０Ａが配置され、その当接面１０Ａの近傍（固定レンズ３０の外周前端よりも当接面１０Ａに近い位置）に歯車３Ａが配置されている。
【００６３】
図５は、レンズフード２４及び調整用孔カバー６が未装着のレンズ装置１の前方外観を示す斜視図である。図６は、図５のＦ６−Ｆ６線に沿った断面図である。
【００６４】
図５に示すように、押え環４の外周前端には切り欠き部４Ｂが形成されており、図示省略の押え環回動用治具の凸部を切り欠き部４Ｂに嵌合させて押え環４を回動させることで、前枠１０の前方から押え環４を締め付けたり緩めたりすることができる。
【００６５】
また、本例の固定レンズ枠３の外周前端３Ｂにも切り欠き部１０Ｅが形成されており、前枠１０の前方から固定レンズ枠３を回動させることも可能であるが、この切り欠き部１０Ｅは省略可能である。また、本例の固定レンズ枠３は、固定レンズ３０を熱かしめにより保持している。
【００６６】
図７は、押え環４及び波板ばね５及び固定レンズ枠３を示す分解斜視図である。
【００６７】
図７にて、波板ばね５の外周に突起５Ａが形成されている。また、図６に示したように、前枠１０の内周側面に波板ばね５の突起５Ａに対応する凹部１０Ｃが形成されている。波板ばね５Ａの突起５Ａと前枠１０の凹部１０Ｃとが嵌合することで、波板ばね５の光軸０中心の回動が規制される。
【００６８】
本実施形態では、図５に示した状態（レンズフード２４及び調整用孔カバー６が未装着の状態）にて、押え環４を緩め、固定レンズ３０の偏心調整を行う。図８は、調整用孔１０Ｄから歯車３Ａを見た様子を示す。調整用孔１０Ｄに図示省略の偏心調整用治具を挿通し、固定レンズ枠３の歯車３Ａに偏心調整用治具の先端部分を嵌合させ、固定レンズ枠３を光軸０中心で回動させる。これにより固定レンズ３０が光軸０中心で回動する。本実施形態のレンズ装置１は、固定レンズ枠３の外周側面に歯車３Ａが形成されているとともに、前枠１０に歯車３Ａを露出させる調整用孔１０Ｄが形成されているので、押え環４による固定レンズ枠３の押し付けを緩めた状態で、レンズ鏡胴後方の図示を省略した測定機の測定値又は像を見ながら、調整用孔１０Ｄを介して歯車３Ａにより固定レンズ３０を回動させることで、固定レンズ３０の偏心調整を容易に行うことができる。
【００６９】
固定レンズ３０の偏心調整完了後、押え環４の切り欠き部４Ｂに図示省略の押え環回動用治具の凸部を嵌め込んで、押え環４を光軸０中心で回動させて締め付けることで、固定レンズ枠３を前枠１０の当接面１０Ａに押し付けて固定する。このように押え環４を回動させても、前枠１０の凹部１０Ｃと波板ばね５の突起５Ａとが嵌合して波板ばね５の回動を規制するので、押え環４と一緒に固定レンズ枠３が回動することはない。即ち、固定レンズ３０の位置が偏心調整完了時のベスト位置から変化することを防止できる。
【００７０】
なお、固定レンズ枠３をレンズ鏡胴（本例では前枠１０）の当接面１０Ａに付勢する環状の付勢部材として波板ばね５を例に説明したが、他の付勢部材を使用してもよい。
【００７１】
また、付勢部材を設けた態様のみ説明したが、付勢部材を省略することも可能である。その場合には、押え環４を締め付ける際に、固定レンズ枠３が押え環４と一緒に回動してしまわないように、固定レンズ枠３を保持する治具が必要となる。
【００７２】
本発明は、本明細書において説明した例や図面に図示された例には限定されず、本発明の要旨を逸脱しない範囲において、各種の設計変更や改良を行ってよいのはもちろんである。
【符号の説明】
【００７３】
１…レンズ装置、３…固定レンズ枠、３Ａ…固定レンズ枠の歯車、４…押え環、５…波板ばね、５Ａ…波板ばねの突起、６…調整用孔カバー、１０…前枠（レンズ鏡胴の最前部）、１０Ａ…当接面、１０Ｃ…前枠の凹部、１０Ｄ…前枠の調整用孔、１２…前固定環、１４…第１本体環、１６…第２本体環、１８…後固定環、２０…マウント取付枠、２２…マウント環、２４…レンズフード、３０…固定レンズ、７０…第１フォーカスリング
【図１】
2011033885.tif 000003
【図２】
2011033885.tif 000004
【図３】
2011033885.tif 000005
【図４】
2011033885.tif 000006
【図５】
2011033885.tif 000007
【図６】
2011033885.tif 000008
【図７】
2011033885.tif 000009
【図８】
2011033885.tif 000010